(57)【特許請求の範囲】
【請求項１】
ネットワーク装置を含む複数のローカルシステム及び中継サーバがインターネットによって接続された通信システムにおいて、前記中継サーバは、前記ネットワーク装置からのログイン要求によって確立したＴＣＰ／ＩＰコネクションを維持し該ＴＣＰ／ＩＰコネクションを用いて同じくＴＣＰ／ＩＰコネクションが確立され維持されている他のネットワーク装置との間での通信を中継してネットワーク装置間の１対１の通信を実現し、前記ネットワーク装置は、前記中継サーバに対する複数回のログイン要求によって確立し維持されている複数のＴＣＰ／ＩＰコネクションを用いて前記中継サーバを通じて複数の他のネットワーク装置との間で通信を行うとともに、同報通信時には複数のＴＣＰ／ＩＰコネクションを関連づけて該複数のＴＣＰ／ＩＰコネクションを用いて同一の情報を送信することを特徴とする通信システム。
【請求項２】
ネットワーク装置を含む複数のローカルシステム及び中継サーバがインターネットによって接続されており、あるネットワーク装置から前記中継サーバへ複数回のログイン要求を行うことによって該ネットワーク装置と前記中継サーバとの間で複数のＴＣＰ／ＩＰコネクションを確保して維持し、それぞれのＴＣＰ／ＩＰコネクションを用いて、同じくＴＣＰ／ＩＰコネクションが確立されている他のネットワーク装置との間で前記中継サーバにより通信を中継して、あるネットワーク装置と複数の他のネットワーク装置との間でそれぞれ１対１の通信を行うとともに、同報通信時には前記複数のＴＣＰ／ＩＰコネクションを関連づけて該複数のＴＣＰ／ＩＰコネクションを用いて同一の情報を送信することを特徴とする通信方法。
【請求項３】
インターネットに接続された中継サーバにより通信を中継することによって前記中継サーバに接続しているローカルシステムのネットワーク装置間での通信を実現する通信システムで用いるネットワーク装置において、インターネットを介して前記中継サーバとの間で確立して維持している１ないし複数のＴＣＰ／ＩＰコネクションを用いて通信を行う通信手段と、前記通信手段を通じて前記中継サーバへ複数回のログイン要求を行うことによって前記中継サーバとの間に複数のＴＣＰ／ＩＰコネクションを確立して維持しそれぞれのＴＣＰ／ＩＰコネクションを用いて他のネットワーク装置と１対１の通信可能とするとともに同報通信時には前記複数のＴＣＰ／ＩＰコネクションを関連づけて該複数のＴＣＰ／ＩＰコネクションを用いて同一の情報を前記通信手段に送信させる制御手段を有することを特徴とするネットワーク装置。
【発明の詳細な説明】
【０００１】
【発明の属する技術分野】
本発明は、複数のネットワーク装置及び中継サーバがネットワークによって接続された通信システム及びそのような通信システムにおける通信方法と、そのような通信システムで用いるネットワーク装置に関するものである。
【０００２】
【従来の技術】
図５は、一般的なインターネットを用いたシステムの一例を示す説明図である。図中、１，２はローカルシステム、３はインターネット、１１，１２，２１，２２は端末、１３，２３はゲートウェイ、１４，２４はＬＡＮである。ローカルシステム１は、端末１１、端末１２、ゲートウェイ１３などがＬＡＮ１４により接続されて構成されている。ゲートウェイ１３は、ＬＡＮ１４とともにインターネット３に接続されており、ＬＡＮ１４上の端末１１，１２など、各種のネットワーク機器からインターネットを利用することができる。またローカルシステム２も同様であり、端末２１、端末２２、ゲートウェイ２３などがＬＡＮ２４により接続されて構成されている。ゲートウェイ２３は、ＬＡＮ２４とともにインターネット３に接続されており、ＬＡＮ２４上の端末２１，２２など、各種のネットワーク機器からインターネットを利用することができる。もちろん、それぞれのローカルシステム１，２において、他の様々な機器がＬＡＮ１４，２４により接続されていてよい。
【０００３】
このようなシステムにおいて、通常はローカルシステム１，２に対してはグローバルＩＰアドレスは１ないし複数個が割り当てられるが、ローカルシステム１，２内のそれぞれのネットワーク機器にグローバルＩＰアドレスが割り当てられるわけではない。それぞれのローカルシステム１，２内の各ネットワーク機器にはプライベートなＩＰアドレスが割り振られており、ゲートウェイ１３，２３によってＮＡＴやＩＰマスカレードなどの機能を用いてプライベートなＩＰアドレスをグローバルなＩＰアドレスに変換している。このようなＩＰアドレスの変換機能を有するゲートウェイ１３，２３を用い、例えばローカルシステム１では端末１１，１２はゲートウェイ１３を介してインターネット３を利用することになる。またローカルシステム２においても、端末２１，２２はゲートウェイ２３を介してインターネット３を利用することになる。
【０００４】
またゲートウェイ１３，２３あるいは別のネットワーク機器等においてはファイアウォールやプロキシサーバなどの機能を有し、これらの装置を介して各端末がインターネット３を利用するような構成も利用されており、システムの安全性を向上させている。
【０００５】
ここで、例えばインターネット３からローカルシステム１内の端末１１に対してアクセスしようとすると、ゲートウェイ１３のグローバルＩＰアドレスを知ることはできるものの、端末１１のプライベートなＩＰアドレスを知ることはできない。従って、通常の接続方法ではローカルシステム１の外部から端末１１をアクセスすることはできない。またゲートウェイ１３のファイアウォールの機能などによって、アクセスを受け付けるサイトが制限されている場合もある。もちろん、端末１２についても同様であるし、ローカルシステム２内の端末２１，２２についても同様である。
【０００６】
さらに、ローカルシステム１内の端末１１や端末１２、ローカルシステム２内の端末２１や端末２２は、通常はクライアント機能しか有しておらず、他のネットワーク機器からの情報を受け付けるサーバの機能を有していない。そのため、端末１１，１２，２１，２２から他のネットワーク機器にアクセスしない限り、他のネットワーク機器からこれらの端末に情報を送信することができない。もちろん同報通信を行うこともできなかった。
【０００７】
【発明が解決しようとする課題】
本発明は、上述した事情に鑑みてなされたもので、インターネットを経由して、あるローカルシステム内のネットワーク装置から他のローカルシステム内のネットワーク装置を含む複数のネットワーク装置への同報通信を実現した通信システム及び通信方法と、そのような通信システムで用いられるネットワーク装置を提供することを目的とするものである。
【０００８】
【課題を解決するための手段】
本発明は、ネットワーク装置を含む複数のローカルシステム及び中継サーバがインターネットによって接続された通信システムにおいて、前記中継サーバは、前記ネットワーク装置からのログイン要求によって確立したＴＣＰ／ＩＰコネクションを維持し該ＴＣＰ／ＩＰコネクションを用いて同じくＴＣＰ／ＩＰコネクションが確立され維持されている他のネットワーク装置との間での通信を中継してネットワーク装置間の１対１の通信を実現し、前記ネットワーク装置は、前記中継サーバに対する複数回のログイン要求によって確立し維持されている複数のＴＣＰ／ＩＰコネクションを用いて前記中継サーバを通じて複数の他のネットワーク装置との間で通信を行うとともに、同報通信時には複数のＴＣＰ／ＩＰコネクションを関連づけて該複数のＴＣＰ／ＩＰコネクションを用いて同一の情報を送信することを特徴とするものである。
【０００９】
また本発明は、通信方法において、ネットワーク装置を含む複数のローカルシステム及び中継サーバがインターネットによって接続されており、あるネットワーク装置から前記中継サーバへ複数回のログイン要求を行うことによって該ネットワーク装置と前記中継サーバとの間で複数のＴＣＰ／ＩＰコネクションを確保して維持し、それぞれのＴＣＰ／ＩＰコネクションを用いて、同じくＴＣＰ／ＩＰコネクションが確立されている他のネットワーク装置との間で前記中継サーバにより通信を中継して、あるネットワーク装置と複数の他のネットワーク装置との間でそれぞれ１対１の通信を行うとともに、同報通信時には前記複数のＴＣＰ／ＩＰコネクションを関連づけて該複数のＴＣＰ／ＩＰコネクションを用いて同一の情報を送信することを特徴とするものである。
【００１０】
さらに本発明は、インターネットに接続された中継サーバにより通信を中継することによって前記中継サーバに接続しているローカルシステムのネットワーク装置間での通信を実現する通信システムで用いるネットワーク装置において、インターネットを介して前記中継サーバとの間で確立して維持している１ないし複数のＴＣＰ／ＩＰコネクションを用いて通信を行う通信手段と、前記通信手段を通じて前記中継サーバへ複数回のログイン要求を行うことによって前記中継サーバとの間に複数のＴＣＰ／ＩＰコネクションを確立して維持しそれぞれのＴＣＰ／ＩＰコネクションを用いて他のネットワーク装置と１対１の通信可能とするとともに同報通信時には前記複数のＴＣＰ／ＩＰコネクションを関連づけて該複数のＴＣＰ／ＩＰコネクションを用いて同一の情報を前記通信手段に送信させる制御手段を有することを特徴とするものである。
【００１１】
このように、ローカルシステムのネットワーク装置が中継サーバへログイン要求を行って中継サーバとの間でＴＣＰ／ＩＰコネクションを確立して維持しておき、同じく中継サーバとＴＣＰ／ＩＰコネクションを確立して維持している他のローカルシステムのネットワーク装置との間で中継サーバが通信を中継することによって、ローカルシステムのネットワーク装置間の通信を行うことができる。これを利用し、ネットワーク装置と中継サーバとの間で複数のＴＣＰ／ＩＰコネクションを確立して維持しておき、それぞれのＴＣＰ／ＩＰコネクションで他のネットワーク装置と通信可能としておいて、それら複数のＴＣＰ／ＩＰコネクションを関連づけ、複数のＴＣＰ／ＩＰコネクションに対して同一の情報を送信することによって、同報通信を実現することができる。
【００１２】
【発明の実施の形態】
図１は、本発明の通信システムの実施の一形態を示す構成図である。図中、図５と同様の部分には同じ符号を付して重複する説明を省略する。１５は通信部、１６は制御部、４は中継サーバ、４１は通信部、４２は制御部、５はローカルシステム、５１は端末、５２はゲートウェイ、５３はＬＡＮである。
【００１３】
中継サーバ４は、インターネット３に接続されており、グローバルＩＰアドレスを有している。このグローバルＩＰアドレスを用いてインターネット３を介して各種のネットワーク機器と通信を行うことができる。中継サーバ４は、例えば通信部４１および制御部４２を含んで構成することができる。通信部４１は、ネットワーク機器からのログイン要求に応じて接続を確立し、その接続を通じてネットワーク機器との通信を行う。なお、複数のネットワーク機器との接続が可能であり、また１台のネットワーク機器との間で複数の接続を確立しておくことが可能である。
【００１４】
制御部４２は、通信部４１を介してネットワーク機器から送られてくるログイン要求を受け付け、通信部４１を通じてそのネットワーク機器との接続を維持して通信路をログアウトされるまで確保しておく。また、通信可能に接続されているネットワーク機器から接続要求情報を受け取ると、その接続要求情報に従って、接続を要求したネットワーク機器と、接続を要求され通信可能に中継サーバ４に接続されている他のネットワーク機器との接続を関連づけ、両者間でのデータ転送を中継する。すなわち、一方のネットワーク機器から送られてきた情報を受信すると、その情報が送られてきた接続に関連づけられている他方のネットワーク機器との接続を割り出し、その接続を用いて受信した情報を転送する。逆の通信も同様に行う。これによって一方のネットワーク機器と他方のネットワーク機器との間での通信を実現する。
【００１５】
ローカルシステム１の端末１１は、上述のようにゲートウェイ１３を介してインターネット３上の中継サーバ４に対してログイン要求を行い、接続を確立して中継サーバ４との間で双方向の通信を行うことができる。そのための構成として、端末１１は、通信部１５及び制御部１６を少なくとも有している。通信部１５は、ＬＡＮ１４を用いた通信によって、実質的にゲートウェイ１３を介してインターネット３上の中継サーバ４との通信を行う。このとき、中継サーバ４に対して複数の接続を確立し、選択的に通信を行うことが可能である。
【００１６】
制御部１６は、通信部１５を通じて中継サーバ４及び他のネットワーク機器との通信により情報の授受を行う。通信部１５によって中継サーバ４との間に複数の接続が確保されている場合には、それぞれの接続を選択的に利用して通信を行うことができる。例えば接続の１つを選択して接続要求情報を中継サーバ４に転送して他のネットワーク機器との通信を要求し、通信が可能になると相手先の他のネットワーク機器に対して情報を転送し、あるいは情報の転送を受けることができる。また、複数の接続についてそれぞれネットワーク機器との通信が可能であるとき、その全部または一部に対して同一の情報を送信し、同報通信を行うことができる。
【００１７】
ローカルシステム５は、ローカルシステム１，２と同様のシステムであり、端末５１、ゲートウェイ５２などがＬＡＮ５３により接続されて構成されている。ゲートウェイ５２は、ＬＡＮ５３とともにインターネット３に接続されており、ＬＡＮ５３上の端末５１などの各種のネットワーク機器からインターネットを利用することができる。
【００１８】
なお、ローカルシステム１の端末１２や、ローカルシステム２，ローカルシステム５における端末は、上述の端末１１と同様のものであってよい。もちろん、中継サーバ４との間で接続を設けて通信可能であれば、どのような構成のネットワーク機器であってもよい。
【００１９】
以下、本発明の通信システムの実施の一形態における動作の一例について説明する。図２は、本発明の通信システムの実施の一形態における通信開始時の動作の一例の説明図である。なお、以下の各説明図においては、ゲートウェイなどを省略し、各端末と中継サーバ４とのＴＣＰ／ＩＰコネクションについてのみ示している。なお、各接続を示す線分は、アプリケーション層のプロトコルにより、他のネットワーク機器との通信に使用されていない状態を破線で示し、他のネットワーク機器との通信に使用している状態を実線で示している。以降の各説明図において同様である。
【００２０】
図２（Ａ）においては、端末１１は中継サーバ４と接続１により通信可能に接続されている。また、端末２１，端末５１においても同様に、中継サーバ４と接続２，接続３によって通信可能に接続されている。なお、この時点では各接続は他のネットワーク機器との通信に用いられていないものとする。
【００２１】
このような中継サーバ４との接続の確保は、インターネット３を介して中継サーバ４に対してログイン要求を行えばよい。ログイン時に中継サーバ４との接続が確立し、その後、確立した接続を利用して中継サーバ４との通信を行うことができる。ここで、端末１１、端末２１、端末５１はそれぞれローカルシステム１，ローカルシステム２，ローカルシステム５内のネットワーク機器である。中継サーバ４からは、ゲートウェイ１３，２３，５２に対しては接続可能であるが、端末１１，端末２１，端末５１に対して直接接続することができない。また、上述のように端末１１，端末２１，端末５１の相互間でも直接的な通信を行うことはできない。しかし、中継サーバ４のグローバルＩＰアドレスを使用すれば、端末１１，端末２１，端末５１からゲートウェイ１３，２３，５２を介して中継サーバ４に接続することが可能である。従って、端末１１，端末２１，端末５１から中継サーバ４に対してログイン要求を行うことによって、中継サーバ４とログイン要求を行った端末１１，端末２１，端末５１との間の双方向の通信がそれぞれ可能になる。
【００２２】
また、ログイン時には、例えばネットワーク機器からユーザＩＤ、パスワード等のログイン時に必要となる情報を中継サーバ４に送る。中継サーバ４は、受け取ったユーザＩＤおよびパスワード等に基づいて認証を行う。この認証によって、不特定の第３者との接続を回避し、安全性を確保することができる。もし接続情報が登録されていなかったり、パスワードが違っているなど、認証に失敗した場合には、中継サーバ４はネットワーク機器に対して否定応答を行うか、あるいはそのまま接続を切断する。認証が成功したら、ログインしたネットワーク機器に対して肯定応答を行い、以後、その接続が切断されるまで、その接続を維持するように制御する。接続の維持は、定期的に中継サーバ４に対し接続保持のコマンドを送出し、中継サーバ４からの確認の応答を得ることによって行うことができる。
【００２３】
上述のようなネットワーク機器と中継サーバ４との間の接続は、それぞれのネットワーク機器について１つに限らず、複数の接続を確立しておくことが可能である。例えば図２（Ａ）においては、端末１１は接続１を確立した後、再度、中継サーバ４に対してログインし、接続４を確立している。もちろん、３以上の接続を行ってもよい。
【００２４】
このようなログイン要求によって例えば端末１１、端末２１、端末５１がそれぞれ中継サーバ４と通信可能に接続され、通信路が確保されている状態において、ここではまず、端末１１と端末２１との間の通信が可能な状態にする。そのために端末１１は、端末２１への接続要求情報を、例えば接続１を介して中継サーバ４へ送る。中継サーバ４は、接続１を介して端末１１からの接続要求情報を受け取ると、その接続要求情報の中で指示されている接続先が端末２１であることを認識し、端末２１との間で確保している接続２を通じて、端末１１からの接続要求情報を転送する。端末２１では、送られてきた接続要求情報に基づいて通信の可否を判断し、接続要求情報が送られてきた接続２を通じて応答を返す。端末２１から返される応答が肯定応答であれば、中継サーバ４は、端末１１から接続要求情報が送られてきた接続１と、端末２１から応答が返された接続２とを関連づけて記憶し、端末１１と端末２１との通信に用いることとする。
【００２５】
端末２１が端末１１からの接続要求に対して肯定応答を行った場合には、図２（Ｂ）に示すように、端末１１と端末２１との間で通信を行うことが可能になる。すなわち、端末１１から接続１を通じて送られてくる情報を中継サーバ４で受信し、受信した情報を、接続２を通じて端末２１へ転送する。これによって、端末１１から接続１を通じて送った情報が接続２を通じて端末２１へ届くことになり、また逆に端末２１から接続２を通じて送った情報が接続１を通じて端末１１へ届く。従って端末１１と端末２１との間で通信を行うことができる。
【００２６】
同様に、端末１１と端末５１との通信が可能な状態にするために、端末１１は、例えば接続４を介して端末５１への接続要求情報を中継サーバ４へ送る。中継サーバ４は、接続４を介して端末１１からの接続要求情報を受け取ると、その接続要求情報の中で指示されている接続先が端末５１であることを認識し、端末５１との間で確保している接続３を通じて、端末１１からの接続要求情報を転送する。端末５１では、送られてきた接続要求情報に基づいて通信の可否を判断し、接続要求情報が送られてきた接続３を通じて応答を返す。端末５１から返される応答が肯定応答であれば、中継サーバ４は、端末１１から接続要求情報が送られてきた接続４と、端末５１から応答が返された接続３とを関連づけて記憶し、端末１１と端末５１との通信に用いることとする。
【００２７】
端末５１が端末１１からの接続要求に対して肯定応答を行った場合には、図２（Ｃ）に示すように、端末１１と端末５１との間で通信を行うことが可能になる。すなわち、端末１１から接続４を通じて送られてくる情報を中継サーバ４で受信し、受信した情報を、接続３を通じて端末５１へ転送する。これによって、端末１１から接続４を通じて送った情報が接続３を通じて端末５１へ届くことになり、また逆に端末５１から接続３を通じて送った情報が接続４を通じて端末１１へ届く。従って端末１１と端末５１との間で通信を行うことができる。
【００２８】
図２（Ｃ）に示すように、端末１１と端末２１、及び、端末１１と端末５１との間で通信が可能になっていると、それぞれの端末２１，５１と個別の通信を行うことができる。図３は、個別通信時の一例の説明図である。図３（Ａ）においては、端末１１から端末２１に対してデータ１を送出した例を示している。端末１１は接続１を介してデータ１を送出する。すると、中継サーバは接続１からデータ１を受信し、接続１に関連づけられている接続２に対して、受信したデータ１を転送する。これによって、端末１１から送られたデータ１は、端末２１に届くことになる。もちろん逆に、端末２１から送られたデータも、接続２及び接続１を介して端末１１に届く。
【００２９】
このように端末１１が接続１を用いて通信を行った場合、同じく端末１１と通信可能になっている端末５１にはデータ１は届かない。端末５１との通信を行う場合には、端末１１は接続４を用いる。図３（Ｂ）においては、端末１１から端末５１に対してデータ２を送出した例を示している。端末１１は接続４を介してデータ２を送出する。すると、中継サーバは接続４からデータ２を受信し、接続４に関連づけられている接続３に対して、受信したデータ２を転送する。これによって、端末１１から送られたデータ２は、端末５１に届くことになる。もちろん逆に、端末５１から送られたデータも、接続３及び接続４を介して端末１１に届く。
【００３０】
このようにして、端末１１は接続１と接続４を用いて、端末２１及び端末５１と個別の通信を行うことができる。
【００３１】
図４は、同報通信時の一例の説明図である。図２（Ｃ）に示すように、端末１１と端末２１、及び、端末１１と端末５１との間で通信が可能になっていると、端末２１，５１に対して同報通信を行うことが可能である。同報通信を行う際には、まず図４（Ａ）に示すように、端末１１において、同報通信を行う相手先と通信を行うための接続を関連づける。ここでは端末２１と通信を行うための接続１と、端末５１と通信を行うための接続４を関連づけておく。
【００３２】
そして、端末１１では関連づけた各接続に対して、同一のデータを送信する。ここでは端末２１，５１に対してデータ１を同報通信により送信するものとし、図４（Ｂ）に示すように、端末１１は接続１に対してデータ１を送信するとともに、接続４に対してもデータ１を送信する。
【００３３】
中継サーバ４においては、上述の個別の通信の場合と同様に中継を行えばよい。すなわち、中継サーバ４は、端末１１から接続１を通じてデータ１を受信し、接続１に関連づけられている接続２に対して、受信したデータ１を転送する。これによって、端末１１から送られたデータ１は、端末２１に届くことになる。同様に、中継サーバ４は、端末１１から接続４を通じてデータ１を受信し、接続４に関連づけられている接続３に対して、受信したデータ１を転送する。これによって、端末１１から送られたデータ１は、端末５１にも届くことになる。
【００３４】
このようにして、端末１１から送信したデータ１は、端末２１及び端末５１に届くことになり、同報通信を実現することができる。このとき、中継サーバ４は１対１の通信を中継しているだけでよく、中継サーバ４が同報通信の機能を有していなくても、端末側の機能だけで同報通信を行うことができる。
【００３５】
上述の説明では端末１１から端末２１，５１へのデータの転送について説明したが、もちろん逆に、端末２１から送られたデータは接続２及び接続１を介して端末１１に届くし、端末５１から送られたデータは接続３及び接続４を介して端末１１に届く。この例では端末２１及び端末５１から他の端末に対する同報通信を行うことはできないが、端末２１と端末５１の間で通信可能な別の接続を設けておけば、相互に同報通信が可能である。
【００３６】
また、端末１１においては、個別の通信と同報通信を任意に切り換えながら、各端末２１，５１などと通信を行うことができる。例えば同報通信の途中で端末２１にのみ送りたい情報があれば、その情報については接続１のみに送信すればよい。また、例えば個別の通信を行っている間に同報通信の必要が生じたら、その時点で他の接続を用いて同じデータを転送すればよい。
【００３７】
なお、上述の説明ではすべて中継サーバ４に接続されているネットワーク機器間において通信を行う場合について説明した。しかし本発明はこれに限らず、例えばインターネット３上に複数の中継サーバが存在し、異なる中継サーバにネットワーク機器が接続されている場合においても適用可能である。例えばネットワーク機器が接続されている中継サーバ間で通信を行うことによって、異なる中継サーバに接続されているネットワーク機器間において通信が可能であり、上述の同報通信についても同様にして実現することができる。もちろん同報先の一部のみが他の中継サーバに接続されていたり、あるいは同報先がそれぞれ異なる中継サーバに接続されている場合についても同様である。また、中継サーバ間の通信を中継する中継サーバが存在していてもよく、ネットワーク機器が接続されている異なる中継サーバ間の通信経路は任意である。また、インターネット３上に存在する中継サーバの個数も任意である。
【００３８】
【発明の効果】
以上の説明から明らかなように、本発明によれば、ローカルシステム内のネットワーク機器から中継サーバへ予め複数の接続を確保して他のネットワーク機器とそれぞれ通信可能にしておき、この複数の接続を用いて同一のデータを送信することによって同報通信を実現することができるという効果がある。このとき、中継サーバでは１対１の通信を中継する機能のみであっても、同報通信を行うことができる。
【図面の簡単な説明】
【図１】本発明の通信システムの実施の一形態を示す構成図である。
【図２】本発明の通信システムの実施の一形態における通信開始時の動作の一例の説明図である。
【図３】個別通信時の一例の説明図である。
【図４】同報通信時の一例の説明図である。
【図５】一般的なインターネットを用いたシステムの一例を示す説明図である。
【符号の説明】
１，２，５…ローカルシステム、３…インターネット、４…中継サーバ、１１，１２，２１，２２，５１…端末、１３，２３，５２…ゲートウェイ、１４，２４，５３…ＬＡＮ、１５…通信部、１６…制御部、４１…通信部、４２…制御部。
【図１】
0003743502.tif 000002
【図２】
0003743502.tif 000003
【図３】
0003743502.tif 000004
【図４】
0003743502.tif 000005
【図５】
0003743502.tif 000006